(57)【要約】      （修正有）【課題】取り扱いにより背表紙がずれることを回避しつつ背表紙の調整を簡便に行ない得る表紙体及びファイルを提供する。【解決手段】ファイルＦ、及びファイルＦを構成する表紙体１は、表表紙２と、裏表紙３と、これら表表紙２及び裏表紙３間に介在する背表紙４とを有し、表表紙２又は裏表紙３の少なくとも一方が背表紙４を挿入可能な袋体状のものにして背表紙４が表表紙２又は裏表紙３から露出する有効寸法を変更可能に構成したものであって、表表紙２及び裏表紙３を重層させた閉じ状態でのみ係合し且つ表紙体１を開いた開放状態で係合を解除し得る係合部Ｘを有している。【選択図】図２
2013146955.tif 000002
【特許請求の範囲】
【請求項１】
表表紙と、裏表紙と、これら表表紙及び裏表紙間に介在する背表紙とを有し、前記表表紙又は裏表紙の少なくとも一方を前記背表紙を挿入可能な袋体状のものにして前記背表紙が前記表表紙又は裏表紙から露出する有効寸法を変更可能として前記背表紙と前記表表紙又前記は裏表紙との相対移動が可能に構成したものであって、
前記表表紙及び前記裏表紙を重層させた閉じ状態でのみ係合し前記背表紙と前記表表紙又は前記裏表紙との相対移動を禁止し且つ前記表紙体を開いた開放状態で前記係合を解除し前記背表紙と前記表表紙又は前記裏表紙との相対移動を許容し得る係合部を、前記背表紙と、前記表表紙及び前記裏表紙との間の少なくとも一方に有していることを特徴とする表紙体。
【請求項２】
前記係合部が、前記表表紙又は裏表紙の何れかに設けた係合爪と、前記背表紙に設けられ前記係合爪に係合し得る係合孔とを有している請求項１記載の表紙体。
【請求項３】
前記背表紙の外側においてラベルを収容し得るラベル入れをさらに設け、このラベル入れが、前記係合部と前記ラベルとの間に介在する被覆面部を有している請求項１又は２記載の表紙体。
【請求項４】
係合部を前記背表紙の上下方向又は水平方向に複数設けている請求項１、２又は３記載の表紙体。
【請求項５】
請求項１乃至４の何れかに記載の表紙体と、綴じ具とを有してなることを特徴とするファイル。
【発明の詳細な説明】
【技術分野】
【０００１】
本発明は、紙葉類を綴じるための表紙体及びファイルに関するものである。
【背景技術】
【０００２】
従来、綴じておく紙葉類の厚み寸法に応じて背表紙が露出する有効幅寸法を調整することにより、表紙体の厚み寸法を任意に調整し得るファイルが種々提案されている。
【０００３】
例えば、予め背表紙を表表紙又は裏表紙に対して予め係り合わせておく技術が開示されており、（例えば、特許文献１参照）このものは、背表紙の有効幅寸法を調整する際にはその都度前記係合を解除させて綴じる用紙束の厚さに応じて調節できるものである。
【０００４】
しかしながら、本棚等に隙間無く並べた状態で、上記のファイルを取り出す際には、通常表紙体が有する背表紙の裏側に指等を引っ掛けて前方へずらす動作が行なわれる。しかしながら斯かる表紙体を有するファイルでそのような動作を行うと、背表紙と表表紙又は裏表紙との係り合わせが解除され、背表紙が表表紙又は裏表紙からずれてしまいうまく取り出せなかったり、取り出した際には背表紙が表表紙または裏表紙から引き出されて背表紙が露出し有効幅寸法が不要に大きくなってしまったりということが起こり得る。
【先行技術文献】
【特許文献】
【０００５】
【特許文献１】特開２００４−６６６９４号公報
【発明の概要】
【発明が解決しようとする課題】
【０００６】
本発明は、このような不具合に着目したものであり、取り扱いにより背表紙がずれることを回避しつつ背表紙の調整を簡便に行ない得る表紙体及びファイルを提供することを目的としている。
【課題を解決するための手段】
【０００７】
本発明は、このような目的を達成するために、次のような手段を講じたものである。
【０００８】
すなわち本発明に係る表紙体は、表表紙と、裏表紙と、これら表表紙及び裏表紙間に介在する背表紙とを有し、前記表表紙又は裏表紙の少なくとも一方を前記背表紙を挿入可能な袋体状のものにして前記背表紙が前記表表紙又は裏表紙から露出する有効寸法を変更可能として前記背表紙と前記表表紙又は前記裏表紙との相対移動が可能に構成したものであって、表表紙及び裏表紙を重層させた閉じ状態でのみ係合し前記背表紙と前記表表紙又は前記裏表紙との相対移動を禁止し且つ前記表紙体を開いた開放状態で前記係合を解除し前記背表紙と前記表表紙又は前記裏表紙との相対移動を許容し得る係合部を、前記背表紙と、前記表表紙及び前記裏表紙との間の少なくとも一方に有していることを特徴とする。また本発明に係るファイルは、上記の表紙体と、綴じ具とを有することを特徴とする。
【０００９】
このようなものであれば、本棚などに収容している閉じ状態では係合部が背表紙と表表紙又は裏表紙に係合しているので、表紙体を取り出す際に背表紙のみを掴んで引っ張っても背表紙が表表紙又は裏表紙からずれたり抜脱したりすることを有効に回避することができる。
【００１０】
そして係合部を簡素な構成にて実現するためには、この係合部を、表表紙又は裏表紙の何れかに設けた係合爪と、前記背表紙に設けられ前記係合爪に係合し得る係合孔とを有したものとすることが望ましい。
【００１１】
また、背表紙の外側にラベルを取付けることにより表紙体に閉じられた使用類の内容を把握し易いものとなるが、このラベルを好適に取付けるためには、背表紙の外側においてラベルを収容し得るラベル入れをさらに設け、このラベル入れが、前記係合部と前記ラベルとの間に介在する被覆面部を有したものとすれば、係合部とラベルとの干渉を回避し、ラベルの位置にかかわらず、背用紙の有効寸法を容易に変更し得るものとなる。
【００１２】
そして、係合部を前記背表紙の上下方向又は水平方向に複数設けたものとすれば、より安定した係合状態を担保することができる。
【発明の効果】
【００１３】
本発明によれば、取り扱いにより背表紙がずれることを回避しつつ背表紙の調整を簡便に行ない得る表紙体及びファイルを提供することができる。
【図面の簡単な説明】
【００１４】
【図１】本発明の一実施形態に係る外観図。
【図２】同実施形態に係る構成説明図。
【図３】同上。
【図４】。同実施形態に係る一部を省略して示す平面図。
【図５】図４に係る他の平面図。
【図６】同実施形態に係る作用説明図。
【図７】同他の作用説明図。
【図８】同実施形態の変形例に係る作用説明図。
【発明を実施するための形態】
【００１５】
以下、本発明の一実施の形態について図面を参照して説明する。
【００１６】
本実施形態に係るファイルＦは、図１〜図７に示すように、表紙体１に綴じ具Ｔ１を取り付けてなるものであり、綴じ具Ｔ１によって綴じられた紙葉類を綴じ、保管又は閲覧するためのものである。
【００１７】
本実施形態に係るファイルＦは、図２に示すように、表表紙２及び裏表紙３の双方に同じ構造をなす綴じ具Ｔ１を取付けたものとしている。この綴じ具Ｔ１は、紙葉類の所定位置に穿たれた綴じ穴に挿通し得る一対の綴じ部材Ｔ２と、この綴じ部材Ｔ２の任意の位置で挟み込んで固定し得る綴じ具本体Ｔ１とを有するものである。綴じ部材Ｔ２は、本実施形態では例えば可撓性を有する樹脂製のものとしている。そして綴じ具本体Ｔ１は、例えば樹脂制のベースに対し押さえ具を適宜スライドさせることにより綴じ部材Ｔ２を任意の位置で挟み固定し得るものである。本実施形態ではこれら綴じ具Ｔ１を構成する綴じ部材Ｔ２及び綴じ具本体Ｔ１の一例を例示したが、勿論本実施形態のファイルＦを構成し得る綴じ具Ｔ１は斯かる構成に限定されることはなく、たとえば紙葉類の綴じ穴に挿通させ結束させた綴じ紐のみによっても、本実施形態の綴じ具Ｔ１は実現し得る。
【００１８】
表紙体１は、図１及び図２に示すように、本実施形態では一例として薄板状の樹脂を適宜裁断、折り曲げ及び接着或いは溶着することにより成形されたものである。この表紙体１は、概略袋状に構成された表表紙２及び裏表紙３と、これら表表紙２及び裏表紙３間に介在する背表紙４と、この背表紙４の外側に重層させるように取付けられたラベル入れ５とを有したものである。図１においてはこのラベル入れ５に入れられたラベル６を破線で示している。
【００１９】
ここで、本実施形態に係る表紙体１は、表表紙２と、裏表紙３と、これら表表紙２及び裏表紙３間に介在する背表紙４とを有し、表表紙２又は裏表紙３の少なくとも一方を前記背表紙４を挿入可能な袋体状のものにして前記背表紙４が前記表表紙２又は裏表紙３から露出する有効寸法を変更可能として前記背表紙４と前記裏表紙３との相対移動が可能に構成したものであって、表表紙２及び裏表紙３を重層させた閉じ状態でのみ係合し前記背表紙４と前記裏表紙３との相対移動を禁止し且つ前記表紙体１を開いた開放状態で前記係合を解除し前記背表紙４と前記裏表紙３との相対移動を許容し得る係合部Ｘを、背表紙４と裏表紙３との間に有していることを特徴とするものである。
【００２０】
以下、表紙体１の各部の構成について図３〜図７に示して説明する。
【００２１】
表表紙２は、概略袋状をなす表紙本体２１と、表紙本体２１から内側に延び、表紙体１の開閉により表紙本体２１に対し相対角度を変形し得る屈曲部２２と、屈曲部２２から内側に延び、綴じ具Ｔ１を取付けるとともに綴じられた紙葉類を支持し得る起立部２３とを有している。表紙本体２１は、概略袋形状を構成するために、外側に露出する外面部２１ａと、内側にて紙葉類に面する内面部２１ｂと、これら外面部２１ａ及び内面部２１ｂとを厚み方向に離間させた状態で接続し端面を構成し得る厚み形成部２１ｃとを有している。さらに表紙本体２１は、ラベル入れ５の抜脱を防止すべく外面部２１ａにおける開口端近傍から外面部２１ａ及び内面部２１ｂ間へ向けて折り返した折返し片２１ｄを形成している。屈曲部２２は、綴じ具Ｔ１を取付けた起立部２３と表紙本体２１との間に樹脂ヒンジを介して介在することにより、表紙体１の開閉によるそれぞれの樹脂ヒンジの過度な折れ曲がりを軽減させている。起立部２３は、綴じ具Ｔ１、具体的には綴じ具本体Ｔ１を取付けるための開口である綴じ具取付穴２６と、綴じ部材Ｔ２を挿入可能な切欠形状をなす綴じ部材挿通部２７とを有している。綴じ具取付穴２６は、本実施形態では綴じ部材挿通部２７に対し若干外側の位置に設けられているが、綴じ具本体Ｔ１の形状、構造に応じ適宜の箇所に形成し得る。また綴じ部材挿通部２７は本実施形態では綴じ部材Ｔ２の取り外しが行い易いよう起立部２３の先端縁側に開放させた切欠形状のものとしているが、勿論先端縁に連続しない単なる開口形状としても良い。
【００２２】
裏表紙３は、概略袋状をなす表紙本体３１と、表紙本体３１から内側に延び、表紙体１の開閉により表紙本体３１に対し相対角度を変形し得る屈曲部３２、及び屈曲部３２から内側に延び、綴じ具Ｔ１を取付けるとともに綴じられた紙葉類を支持し得る起立部３３を前記表表紙２同様に有している。表紙本体３１は、概略袋形状を構成し且つラベル入れ５の抜脱を防止するために、上記同様に外面部３１ａ、内面部３１ｂ、厚み形成部３１ｃ及び折返し片３１ｄとを有しているが、裏表紙３においては内面部３１ｂが樹脂板を折り曲げ溶着による二層構造とし、表紙本体３１自体の強度を担保している。
【００２３】
そして屈曲部３２は、上記同様に綴じ具Ｔ１を取付けた起立部３３と表紙本体３１との間に樹脂ヒンジを介して介在するものであるが、この屈曲部３２は、表紙本体２１よりの箇所をコの字状に切り欠くとともに当該箇所に樹脂ヒンジを設けない構成とした、本実施形態に係る係合爪３５を有している。この係合爪３５は、例えば表紙体１の上下方向に２箇所、詳細には上下端近傍にそれぞれ形成している。起立部３３は、綴じ具Ｔ１、具体的には綴じ具本体Ｔ１を取付けるための開口である綴じ具取付穴３６と、綴じ部材Ｔ２を挿入可能な切欠形状をなす綴じ部材挿通部３７とを有している。
【００２４】
背表紙４は、本実施形態では表表紙２に対し溶着固定されるとともに裏表紙３側に少なくとも一部が挿入されることで、その有効寸法すなわち表表紙２と裏表紙３とを離間させ得る寸法を調整し得る構成をなす。この背表紙４は、表表紙２に挿入される表挿入部４１と、裏表紙３に挿入される裏挿入部４２と、これら表挿入部４１及び裏挿入部４２に介在し、有効寸法の変更に応じて裏表紙３の表紙本体２１へ挿入され得る面積を変更し得る中間部４３とを有している。表挿入部４１は、表表紙２の表紙本体２１の略全域に亘って挿入されるとともに内面部２１ｂに対して全面に亘って接着される接着面４１ａを有している。これにより、表表紙２の強度を担保することに寄与している。裏挿入部４２は、表挿入部４１よりも面積を小さく構成するとともに裏表紙３の表紙本体２１の内部に相対移動可能に挿入されている。本実施形態ではこの裏挿入部４２を単なる板状のものとしたが、この裏挿入部４２の先端を折返して構成することにより裏表紙３の折返し片３１ｄに係り合わせ、中間部４３の抜脱を防止することも可能である。中間部４３は、表表紙２及び裏表紙３間から露出する寸法が変わることにより、ファイルＦの厚み寸法に対応するいわゆる背表紙４の有効寸法を変更し得るものである。この中間部４３は上下方向に等間隔に設けられた樹脂ヒンジである調整ヒンジ４４と、この調整ヒンジ４４に重複する位置の上下端付近に設けられた概略矩形状の開口である係合孔４５とを有している。この係合孔４５が、前記の係合爪３５と係り合うことにより、本発明に係る係合部Ｘを構成している。
【００２５】
ラベル入れ５は、上端を開口端とした透明の樹脂素材を袋状に形成したものであり、見出しとして利用される図１に破線で示された様なラベル６を保持しておくためのものである。このラベル入れ５は少なくとも上記の係合部Ｘを被覆し得る位置で背表紙４及び表表紙２、裏表紙３に直接接する被覆面部５１と、外側にてラベル６を視認可能に覆う透過面部５２と、幅方向両端を折り曲げることにより、表表紙２及び裏表紙３の折返し片２１ｄ、３１ｄに係り合い、ラベル入れ５自体の抜脱及び裏表紙３と背表紙４との離間をも禁止し得る抜け止め部５３とを有している。本実施形態では、このラベル入れ５を、折返し片２１ｄ、３１ｄに係り合わない限り表表紙２及び裏表紙３のいずれに対しても相対移動可能に設けることにより、当該ラベル入れ５に収容したラベル６が背表紙４の有効寸法に拘わらず常に所望の位置に位置づけ得る。
【００２６】
しかして本実施形態の表紙体１は、上述の通り、表表紙２及び裏表紙３を重層させた閉じ状態でのみ係合し且つ前記表紙体１を開いた開放状態で前記係合を解除し得る係合部Ｘを有している。
【００２７】
図６に示すとおり、表紙体１を開いた開放状態では、係合爪３５は背表紙４に対して平行に近い角度をなして位置づけられるため、背表紙４側の係合孔４５へ挿入されることが無く、この状態においては背表紙４の裏表紙３に対する相対位置を裏表紙３をスライドさせることにより容易に変更することができる。
【００２８】
他方図７に示すように、表紙体１を閉じ状態とした場合には、裏表紙３に平行して位置づけられる中間部４３と屈曲部３２との相対角度略直交する角度をなすことにより表紙本体３１から係合爪３５が立ち上がり突出した状態となる、この状態では背表紙４に対しても係合爪３５が突出した状態となり係合部Ｘを構成する係合爪３５及び係合孔４５の係合状態が安定して維持される。これにより、閉じ状態にある背表紙４は裏表紙３に対する任意の位置で好適に位置決めされ、背表紙４のみを掴んだとしても裏表紙３に対して相対移動することが有効に禁止される。
【００２９】
以上のような構成とすることにより本実施形態に係る表紙体１は、閉じ状態として本棚などに収容している場合は係合部Ｘが背表紙４と表表紙２又は裏表紙３に係合しているので、表紙体１を取り出す際に背表紙４のみを掴んで引っ張っても背表紙４が表表紙２又は裏表紙３からずれたり抜脱したりすることを有効に回避し得るものとなっている。
【００３０】
そして係合部Ｘを簡素な構成にて実現するために本実施形態では、この係合部Ｘを、表表紙２又は裏表紙３の何れかに設けた係合爪３５と、前記背表紙４に設けられ前記係合爪３５に係合し得る複数の係合孔４５とを有したものとしている。
【００３１】
また、本実施形態ではラベル入れ５が、前記係合部Ｘと前記ラベル６との間に介在する被覆面部５１を有したものとして係合部Ｘとラベル６との干渉を有効に回避している。
【００３２】
そして、係合部Ｘを前記背表紙４の上下方向に複数つまり２箇所設けたものとして、より安定した係合状態を実現している。
【００３３】
＜変形例＞
以下に、本実施形態に係る変形例について説明する。当該変形例において、上記実施形態の構成要素に相当するものに対しては同じ符号を付すとともに、その詳細な説明を省略するものとする。
【００３４】
上記実施形態では背表紙４と裏表紙３との相対位置を変更可能なものとし、背表紙４と裏表紙３との間に係合部Ｘを設けた態様としたが勿論、前記係合部Ｘを前記背表紙４と、表表紙２及び前記裏表紙３との間にそれぞれ設けたものとしても良い。
【００３５】
図８に示すように、表表紙２の表紙本体２１についても裏表紙３のそれ同様、内面部２１ｂを二層に構成して強度を担保するとともに、背表紙４の表挿入部４１を表紙本体２１から離間させて設けている。また表表紙２の屈曲部２２にも、裏表紙３同様に係合爪２５を形成し、閉じ状態において何れかの係合孔４５に係合させることにより、上記実施形態同様の係合部Ｘを構成している。
【００３６】
本変形例によれば、背表紙４が露出する有効寸法の調節範囲をさらに大きく設定することが可能である。また同図に示すようなラベル入れ５によらずに背表紙４にそのまま見出しを書いたり貼付したりする場合には、背表紙４の有効寸法に関わらず常に見出しを厚み方向における任意の位置に位置づけることができる。
【００３７】
以上、本発明の実施形態について説明したが、各部の具体的な構成は、上述した実施形態のみに限定されるものではなく、本発明の趣旨を逸脱しない範囲で種々変形が可能である。
【００３８】
例えば、上記実施形態では樹脂成形によってなる表紙体を適用した態様を開示したが、勿論、一部又は全部が紙によって構成された表紙体を適用したものであってもよい。また上記実施形態では係合孔及び係合爪により係合部を構成したが、係合部は当該構成に限定されることはなく、たとえば面ファスナ等の別異の手段により係合部を構成しても良い。さらに上記実施形態では背表紙の裏表紙又は表表紙に対する抜脱をラベル入れに設けた折返し片によって防止する構成を適用したが、勿論同様の折返し片を背表紙の側縁に設けることにより同様の作用を奏する構成としても良い。さらに上記実施形態では係合爪を上下方向に複数、すなわち二つ設けた態様を開示したが勿論、水平方向に複数設けて複数の係合孔に水平方向に同時に係合し得るものとしても良い。
【００３９】
加えて、ラベル入れや綴じ具の具体的な態様は上記実施形態のものに限定されることはなく、既存のものを含め、種々の態様のものを適用することができる。
【００４０】
その他、各部の具体的構成についても上記実施形態に限られるものではなく、本発明の趣旨を逸脱しない範囲で種々変形が可能である。
【産業上の利用可能性】
【００４１】
本発明は紙葉類を綴じるための表紙体及びファイルとして利用することができる。
【符号の説明】
【００４２】
１…表紙体
２…表表紙
３…裏表紙
４…背表紙
２５、３５…係合爪
４５…係合穴
５…ラベル入れ
５１…被覆面部
６…ラベル
Ｆ…ファイル
Ｔ…綴じ具
Ｘ…係合部
【図１】
2013146955.tif 000003
【図２】
2013146955.tif 000004
【図３】
2013146955.tif 000005
【図４】
2013146955.tif 000006
【図５】
2013146955.tif 000007
【図６】
2013146955.tif 000008
【図７】
2013146955.tif 000009
【図８】
2013146955.tif 000010